(57)【特許請求の範囲】
【請求項１】
グラスマンの等色の法則を利用した数値計算により、発光効率の変化により画素毎に対応する赤色、緑色又は青色の３色の放電素子が生じたカラーライトの輝度を計算し、前記放電素子の各々に入力する映像信号の強度を増加又は低下させ、前記赤色、緑色又は青色の輝度を調整するとともに前記放電素子の各々の発光効率の変化によって変化が生じた色温度および色偏差を中和し、プラズマディスプレイパネルのガラス基板の温度が上昇すると、前記赤色、緑色又は青色の３色の放電素子のそれぞれの輝度補正ゲインαi、βiおよびγi が下記の第一公式及び第二公式の関係式を満たし、
第一公式：αi：βi：γi＝ｋGｋB：ｋRｋB：ｋRｋG
第二公式：max｛αi、βi、γi｝≦１
ここで、ｋR、ｋG、ｋBは、前記赤色、緑色又は青色の３色の放電素子の最大の臨界グレイレベル数に至る状態の補正係数であり、且つ前記赤色、緑色又は青色の３色の放電素子のグレイレベル値をそれぞれa、ｂおよびｃ、前記赤色、緑色又は青色の３色の放電素子の中の蛍光体の単位グレイレベルが生じた輝度をそれぞれRo、GoおよびBoとすると、最大の臨界グレイレベル数における赤色放電素子の輝度は、aｋRRoで表わされ、最大の臨界グレイレベル数における緑色放電素子の輝度は、bｋGGoで表わされ、最大の臨界グレイレベル数における青色放電素子の輝度は、ｃｋBBoで表わされ、且つ補正された後の赤色放電素子の輝度は、（aｋRαi）Roで表わされ、補正された後の緑色放電素子の輝度は、（bｋGβi）Goで表わされ、補正された後の青色放電素子の輝度は、（c ｋBγi）Boで表わされることを特徴とするプラズマディスプレイパネルの色温度および色偏差の補正方法。
【請求項２】
前記放電素子の発光効率の変化による前記放電素子の単位グレイレベルが減少した輝度は、色彩混合原理に基づいた数値計算を利用して赤色、緑色および青色の可視光が適当な比率によって計算されることを特徴とする請求項１記載のプラズマディスプレイパネルの色温度および色偏差の補正方法。
【請求項３】
前記計算された各可視光の数値を前記３つの放電素子の輝度補正ゲインとみなし、プラズマディスプレイパネルに前記放電素子が各々入力する映像信号の強度を調整し、前記放電素子の発光効率の変化によって減少した輝度を前記可視光により補正することを特徴とする請求項２記載のプラズマディスプレイパネルの色温度および色偏差の補正方法。
【請求項４】
前記放電素子の輝度補正ゲインにより、前記放電素子に塗布されている三色蛍光体に対して実験を行って前記放電素子の単位グレイレベルを分析し、プラズマディスプレイパネルのガラス基板の温度が上昇すると発光効率が低下し、前記放電素子が各々生じた赤色、緑色および青色の可視光の輝度補正ゲイン、ならびに前記輝度補正ゲインと前記プラズマディスプレイパネルのガラス基板の温度との関係によって実験数値の対照表を作り出すことを特徴とする請求項３記載のプラズマディスプレイパネルの色温度および色偏差の補正方法。
【請求項５】
前記プラズマディスプレイパネルの制御電子回路により、検知ユニットで測定されたプラズマディスプレイパネルのガラス基板の温度、ならびに前記対照表から選用された対応の各輝度補正ゲインに基づいて前記放電素子の各々入力する映像信号の強度を調整し、前記放電素子の単位グレイレベルが前記プラズマディスプレイパネルのガラス基板の温度の上昇によって低下した発光効率を補正することを特徴とする請求項４記載のプラズマディスプレイパネルの色温度および色偏差の補正方法。
【発明の詳細な説明】
【０００１】
【発明の属する技術分野】
本発明は、入力する映像信号の強度を調整することによって、プラズマディスプレイパネルの色温度および色偏差を改善する補正方法に関するものである。
【０００２】
【従来の技術】
従来の交流放電型のプラズマディスプレイパネル１０の製造技術を図１を参照して説明する。主に２枚のガラス基板１１、１２の上に違う作用層を作成してから、その周辺を封じる。その間の放電空間の中に、一定の比率で混合された特殊な気体例えばヘリウム（Ｈｅ）、ネオン（Ｎｅ）、キセノン（Ｘｅ）又はアルゴン（Ａｒ）を入れて封じる。その構造において、見ている人へ向かう基板は前基板１１であり、その前基板１１の内側に順に複数の平行な透明電極１１１、補助（BUS）電極１１２、誘電層１１３および保護層１１４が設けられ、前基板１１に対応している後基板１２の上には順にアドレッシング（DATA）電極１２１、誘電層１２４、複数の平行な分離壁１２２、および均等に塗布された蛍光体１２３が設けられているので、電極１１１、１１２、１２１に電圧をかける場合、その対応する位置にある誘電層１１３、１２４は、その隣接する隔離された壁の間に形成された対応放電素子（CELL）１３の中に放電することで、蛍光体１２３がそれに対応する色の光を感応させるのである。
【０００３】
図２、図３および図４に示すように、従来のプラズマディスプレイパネル１０の中の蛍光体１２３の発光効率は基板の温度或いはプラズマディスプレイパネル操作率によって変化するため、プラズマディスプレイパネル１０の基板の色温度および色偏差に変化を生じるとともに、基板の映像品質が劣化する。操作率は放電素子（Cell）１３が単位時間内の放電回数を指す。放電回数が多ければ操作率が高くなる。図２に示すように蛍光体１２３は操作率が高ければ高いほどその発光率が劣る。特に緑色の蛍光体の場合、その現象は最も劣るものになる。従って、従来の交流放電型のプラズマディスプレイパネルは基板の温度或いはプラズマディスプレイパネル操作率が高ければ高いほど、映像の色温度および色偏差が優れず、映像画面が劣化する。
【０００４】
【発明が解決しようとする課題】
従って、本発明の主な目的は、プラズマディスプレイパネルを異なる操作率においたとしても、最も優れた色純度および色温度の映像画面を現すプラズマディスプレイパネルの色温度および色偏差の補正方法を提供することである。
【０００５】
【課題を解決するための手段】
上記目的を達成するため、本発明の一実施例に係るプラズマディスプレイパネルの色温度および色偏差の補正方法は、グラスマンの等色の法則を利用した数値計算により、発光効率の変化により画素毎に対応する赤色、緑色又は青色の３色の放電素子が生じたカラーライトの輝度を計算し、前記放電素子の各々の入力する映像信号の強度を増加又は低下させ、前記赤色、緑色又は青色の輝度を調整するとともに前記放電素子の各々の発光効率の変化によって変化が生じた色温度および色偏差を中和し、プラズマディスプレイパネルのガラス基板の温度が上昇すると、その輝度補正ゲインαi、βiおよびγi が第一公式：αi：βi：γi＝ｋGｋB：ｋRｋB：ｋRｋG及び第二公式：max｛αi、βi、γi｝≦１の関係式を満たし、ここで、ｋR、ｋG、ｋBは最大の臨界グレイレベル数に至る状態の補正係数であることを特徴とする。更に、本発明に係る色温度および色偏差の補正方法は、前記赤色、緑色又は青色の３色の放電素子のグレイレベル値をそれぞれa、ｂおよびｃ、前記赤色、緑色又は青色の３色の放電素子の中の蛍光体の単位グレイレベルが生じた輝度をそれぞれRo、GoおよびBoとすると、最大の臨界グレイレベル数における赤色放電素子の輝度は、aｋRRoで表わされ、最大の臨界グレイレベル数における緑色放電素子の輝度は、bｋGGoで表わされ、最大の臨界グレイレベル数における青色放電素子の輝度は、ｃｋBBoで表わされ、且つ補正された後の赤色放電素子の輝度は、（aｋRαi）Roで表わされ、補正された後の緑色放電素子の輝度は、（bｋGβi）Goで表わされ、補正された後の青色放電素子の輝度は、（c ｋBγi）Boで表わされることを特徴とする。
【００１１】
以上のように、主にプラズマディスプレイパネルの赤色、緑色および青色蛍光体が発光効率の変化によって生じた色温度および色偏差の変化（偏向）に対し、配色定律を利用した数値計算によって発光効率の変化による画素毎に対応する３色の放電素子が生じたカラーライトの輝度を計算し、各放電素子の入力する映像信号の強度を増加又は低下させることで、生じた赤色、緑色、或いは青色の輝度を調整する。各放電素子内の発光効率の変化によって変化が生じた色温度および色偏差を中和し、基板の温度が上昇すると、その輝度補正ゲインαi、βiおよびγi が第一公式：αi：βi：γi＝ｋGｋB：ｋRｋB：ｋRｋG及び第二公式：max｛αi、βi、γi｝≦１を満たし、ここで、ｋR、ｋG、ｋBは最大の臨界グレイレベル数に至る状態の補正係数であるように設定することによって、発光効率の変化によるプラズマディスプレイパネルへの悪影響を有効に改善することができる、且つ最もよい色温度および色偏差による映像画面を表現することができる。
【００１２】
【発明の実施の形態】
以下、本発明の実施例を図面に基づいて説明する。
通常プラズマディスプレイパネルの表す映像は、膨大な数量の画素（piexl）で表されているが（ピクセルは、プラズマディスプレイパネルの解析度によって決まる）、いずれの画素（pixel）にも、すべて赤色（Red）、緑色（Green）および青色（Blue）の３色が生じる対応放電素子が組み込まれている。よって、プラズマディスプレイパネルが映像を表す場合、その各画素（pixel）の呈するカラーは、実際に各放電素子（Cell）が生じた赤色、緑色および青色等の３色の可視光を混合して形成される。
【００１３】
そして、プラズマディスプレイパネルの上の画素毎の放電素子（Cell）が生じた赤色（Red）、緑色（Green）および青色（Blue）は、それぞれａ、ｂ、ｃをそのグレイレベル値として表示し、且つ、その画素（pixel）毎に対応する３色放電素子（Cell）の中の蛍光体の単位グレイレベルが生じた輝度をそれぞれＲｏ、Ｇｏ、Ｂｏで表示すると、その赤色放電素子、緑色放電素子、青色放電素子が生じた最初の輝度はそれぞれ下記の式（１）、（２）、（３）で表示され、又、基板の画素毎の最初の輝度は式（４）で表示され、画素の赤色、緑色および青色の輝度の比は式（５）で表示される。
【００１４】
赤色放電素子の輝度＝ａ×Ｒｏ・・・・・・・・・（１）
緑色放電素子の輝度＝ｂ×Ｇｏ・・・・・・・・・（２）
青色放電素子の輝度＝ｃ×Ｂｏ・・・・・・・・・（３）
画素の最初の輝度＝赤色放電素子の輝度＋緑色放電素子の輝度＋青色放電素子の輝度＝ａ×Ｒｏ＋ｂ×Ｇｏ＋ｃ×Ｂｏ・・・・・・（４）
赤色画素の輝度：緑色画素の輝度：青色画素の輝度＝ａ×Ｒｏ：ｂ×Ｇｏ：ｃ×Ｂｏ・・・・・・・・（５）
【００１５】
本発明の実施例では発光効率の変化によるプラズマディスプレイパネルへの悪影響を有効に改善するため、Grassman配色定律（laws of color matching）を利用した数値計算によって、図５のプロセスに示すように各放電素子が対応して生じたカラーライトの輝度を計算し、各放電素子の入力する映像信号（入力電圧でもよい）の強度を増加又は低下させることで、生じた赤色、緑色、或いは青色の輝度を調整する。そして、発光効率の変化によるプラズマディスプレイパネルの映像の色温度および色変化に与えた悪影響を中和するとともに、一番よい色温度および色偏差による映像画面を表現することができる。
【００１６】
本発明の第一実施例では、プラズマディスプレイパネルの赤色、緑色、青色など三色の放電素子が、基板の温度が上昇することによって単位グレイレベルが低下する発光輝度をぞれぞれＴR、ＴG、ＴBで表示すると、基板が上昇した後、赤色放電素子、緑色放電素子、青色放電素子および画素の輝度はぞれぞれ式（６）、（７）、（８）、（９）で表示される。
【００１７】
温度が上昇した後の赤色放電素子の輝度＝ａ（Ｒｏ−ＴR）・・・・・（６）
温度が上昇した後の緑色放電素子の輝度＝ｂ（Ｇｏ−ＴG）・・・・・（７）
温度が上昇した後の赤色放電素子の輝度＝ｃ（Ｂｏ−ＴB）・・・・・（８）
温度が上昇した後の画素の輝度＝温度が上昇した後の赤色放電素子の輝度＋温度が上昇した後の緑色放電素子の輝度＋温度が上昇した後の青色放電素子の輝度＝ａＲｏ＋ｂＧｏ＋ｃＢｏ−ａＴR−ｂＴG−ｃＴB・・・・・・・・・・（９）
【００１８】
上記ａＴR−ｂＴG−ｃＴBは、基板の温度が上昇することによって画素毎の赤色、緑色および青色放電素子が低下する輝度、即ちプラズマディスプレイパネルの色温度の変化によって色偏差を生じる要素を指す。
本発明は放電素子の単位グレイレベルを有効に改善するものである。基板の温度が上昇すると発光効率が低下するのでプラズマディスプレイパネルの色温度および色偏差に悪影響を及ぼす。そこで、放電素子に塗布されている三色蛍光体によって実験を行い、図５のプロセスに示すように、各放電素子内の蛍光体の単位グレイレベルを分析する。基板の温度が上昇すると発光効率が低下するため、温度関数によって各赤色、緑色、青色蛍光体の単位グレイレベルの発光効率の低下による発光輝度ＴRi、ＴGi、ＴBi、を計算する。その各放電素子の基板との対応関係は、次の通りである。
【００１９】
ｔi＜Ｔ＜ｔi+1→ＴRi
ｔi＜Ｔ＜ｔi+1→ＴGi
ｔi＜Ｔ＜ｔi+1→ＴBi
上記ｔｉ、ｔi+1は区段毎の基板の温度範囲の上下限値を表す。Ｔは基板の温度（或いは操作率）を指す。繰り返しの実験を通して得た参考数値によって経験数値の対照表が作り出される。プラズマディスプレイパネルの制御電子回路は検知ユニットで測った基板の温度Ｔ、対照表からの対応する各ＴRi、ＴGi、ＴBiによって、入力する各放電素子の映像信号の強度を調整し、その生じた赤色、緑色、青色可視光によって、各放電素子の単位グレイレベルが基板の温度の上昇により低下した発光効率を補正し、プラズマディスプレイパネルの色温度および色偏差が生じたマイナス影響を有効に解決し、更に映像画面に最も良質の色純度および色温度の映像を表すと同時に、従来のプラズマディスプレイパネルの表示品質を大幅に向上する。
【００２０】
実験では、基板の温度の上昇によって単位グレイレベルが低下する発光輝度各ＴRi、ＴGi、ＴBiは実験の結果および経験によって式（１０）、（１１）、（１２）により作り出される。
ＴRi＝ｋRiＲｏ・・・・・・・（１０）
ＴGi＝ｋGiＧｏ・・・・・・・（１１）
ＴBi＝ｋBiＢｏ・・・・・・・（１２）
【００２１】
上記ｋRi、ｋGi、ｋBiは輝度補正係数である。実験の結果によって、輝度を補正する場合、ぞれぞれ赤色放電素子の輝度ａｋRi、緑色放電素子の輝度ｂｋGi、青色放電素子の輝度ｃｋBiを増加すると、補正した後の放電素子および画素の輝度は式（１３）〜（１６）で表示される。
【００２２】
補正した後の赤色放電素子の輝度＝ａ（１＋ｋRi）Ｒｏ−ａＴRi・・（１３）
補正した後の緑色放電素子の輝度＝ｂ（１＋ｋGi）Ｇｏ−ｂＴGi・（１４）
補正した後の青色放電素子の輝度＝ｃ（１＋ｋBi）Ｂｏ−ｃＴBi・・（１５）
補正した後の画素の輝度＝補正した後の赤色放電素子の輝度＋補正した後の緑色放電素子の輝度＋補正した後の青色放電素子の輝度＝ａ×Ｒｏ＋ｂ×Ｇｏ＋Ｃ×Ｂｏ・・・・・・・・・・・・・・・（１６）
【００２３】
式（１６）と式（４）とを比較してみると、赤色、緑色および青色放電素子の輝度の補正により、蛍光体は基板の温度の上昇によって発光効率が低下する現象を完全に解決することできる。
蛍光体が最大の臨界グレイレベル数に至る場合、その放電回数も最大になる。放電素子の単位グレイレベルは、基板の温度の上昇によって低下する発光輝度ＴRi、ＴGi、ＴBiに対して放電回数がこれ以上増加できないため、有効に補正できない。
【００２４】
蛍光体が最大の臨界グレイレベル数に至る場合、その三色放電素子（Cell）の単位グレイレベルの発光輝度はぞれぞれｋRＲｏ、ｋGＧｏ、ｋBＢｏに下がる。そのｋR＜１、ｋG＜１、ｋB＜１、ｋR、ｋG、ｋBは最大の臨界グレイレベル数に至る状態の補正係数である。実験の結果によって、最大の臨界グレイレベル数において赤色放電素子、緑色放電素子、青色放電素子および画素の輝度は、ぞれぞれ式（１７）、（１８）、（１９）および（２０）で表示され、画素中の赤色、緑色、青色の輝度比は式（２１）で表示される。
【００２５】
最大の臨界グレイレベル数における赤色放電素子の輝度＝aｋRRo（17）
最大の臨界グレイレベル数における緑色放電素子の輝度＝bｋGGo（18）
最大の臨界グレイレベル数における青色放電素子の輝度＝ｃｋB Bo（19）
最大の臨界グレイレベル数における画素の輝度＝最大の臨界グレイレベル数における赤色放電素子の輝度＋最大の臨界グレイレベル数における緑色放電素子の輝度＋最大の臨界グレイレベル数における青色放電素子の輝度＝aｋRRo＋bｋGGo＋c ｋBBo  …………………（20）
赤色放電素子の輝度：緑色放電素子の輝度：青色放電素子の輝度＝aｋRRo：bｋGGo：ｃｋBBo…………（21)
【００２６】
式（５）と式（２１）を比較してみると、プラズマディスプレイパネルは温度のやや高い基板において、その画素中の赤色、緑色および青色放電素子の輝度比に変化が起こる。その変化はプラズマディスプレイパネルで色偏差を生じ、映像画面の品質を低下する主な原因にかかわるのである。
【００２７】
従って、最大の臨界グレイレベル数に至る状態において、放電素子の単位グレイレベルが低下した発光輝度TRi、TGi、TBiが補正不可能な問題を有効に解決するため、本発明の第二実施例では、プラズマディスプレイパネルの制御電子回路が検知ユニットで測った基板の温度（プラズマディスプレイパネルのガラス基板の温度）T、対照表からのそれと対応する輝度補正増益値（輝度補正ゲイン）αi、βi、γiによって各該放電素子の入力する映像信号の強度を調整し、放電素子がプラズマディスプレイパネルのガラス基板の温度の上昇によって低下した発光効率を補正することができる。
【００２８】
基板の温度が上昇すると、その輝度補正増益値αi、βiおよびγi、式（２２）、（２３）によって補正した後の放電素子および画素の輝度はぞれぞれ式（２４）〜（２７）で表示される。
αi：βi：γi＝ｋGｋB：ｋRｋB：ｋRｋG・・・・・・・・・・・（２２）
max｛αi、βi、γi｝≦１・・・・・・・・・・・・・・・・・・（２３）
補正した後の赤色放電素子の輝度＝（ａｋRαi）Ｒｏ・・・・・・（２４）
補正した後の緑色放電素子の輝度＝（ｂｋGβi）Ｇｏ・・・・・・（２５）
補正した後の青色放電素子の輝度＝（ｃｋBγi）Ｂｏ・・・・・・（２６）
補正した後の画素の輝度＝補正した後の赤色放電素子の輝度＋補正した後の緑色放電素子の輝度＋補正した後の青色放電素子の輝度＝（ａｋRαi）Ｒｏ＋（ｂｋGβi）Ｇｏ＋（ｃｋBγi）Ｂｏ・・・（２７）
【００２９】
式（２４）および式（２６）によって、補正した後の画素中の赤色、緑色および青色放電素子の輝度比は式（２８）で表示される。
補正した後の赤色放電素子の輝度：補正した後の緑色放電素子の輝度：補正した後の青色放電素子の輝度
＝（ａｋRαi）Ｒｏ：ｂｋGβi）Ｇｏ：（ｃｋBγi）Ｂｏ
＝ａＲｏ：ｂＧｏ：ｃＢｏ・・・・・・・・・・・・・・・・・・（２８）
【００３０】
式（５）と比較してみると、補正した後の赤色、緑色および青色放電素子の輝度比は最初の比に回復し、蛍光体が最大の臨界グレイレベル数に至る時に生じた色偏差を完全に解消する。
本発明の第二実施例では、図２に示すように、プラズマディスプレイパネルの基板の温度と操作率とは通常正比例関係であるため、第二実施例によってプラズマディスプレイパネルは制御電子回路を利用し、検知ユニットで測った操作率に基づいて各放電素子の入力する影像信号の強度を調整し、その生じた可視光の輝度により操作率の変更により減少した輝度を補正し、プラズマディスプレイパネルは異なる操作率においたとしても、最も優れる色純度および色温度の映像画面を表す。
【図面の簡単な説明】
【図１】従来のプラズマディスプレイパネルを示す模式図である。
【図２】従来のプラズマディスプレイパネルの蛍光体の発光効率および操作率の関係を示すグラフである。
【図３】従来のプラズマディスプレイパネルの色温度および操作率の関係を示すグラフである。
【図４】従来のプラズマディスプレイパネルの色偏差および操作率の関係を示すグラフである。
【図５】本発明の第一実施例によるプラズマディスプレイパネルの色温度および色偏差の補正方法を示す処理プロセスである。
【符号の説明】
１０    プラズマディスプレイパネル
【図１】
0004493886.tif 000002
【図２】
0004493886.tif 000003
【図３】
0004493886.tif 000004
【図４】
0004493886.tif 000005
【図５】
0004493886.tif 000006